(57)【要約】【課題】高い所にある引出しの抜き差しが容易にできる収納ユニットを提供する。【解決手段】収納ユニット１０は、引出し１２と、操作具１４とを備える。操作具１４は、引出し１２の抜き差し操作をするための道具である。操作具１４は、握り部１８と、操作部２０と、棒状部２２とを備える。操作部２０は、引出し１２を抜き差しするために、引出し１２に装着される。操作部２０には、板状部材の端部で構成される突起３０と、板状部材を覆うカバーの切り欠き部で構成される溝３２が設けられている。引出し１２は、取っ手３６を前面に備える。取っ手３６には、上下方向に貫通した穴３８が設けられている。穴３８は、突起３０が嵌め込まれる受部となっている。また、引出し１２は、張出部３４を前面に備える。張出部３４は、引出し１２の底面部材を前方に張り出して形成される。張出部３４には、溝３２が嵌め込まれる。【選択図】図１
2014161394.tif 000002
【特許請求の範囲】
【請求項１】
引出しと、前記引出しを抜き差しする操作具とを有する収納ユニットであって、
前記操作具は、突起と、溝とを備え、
前記引出しは、前記突起が嵌め込まれる受部と、前記溝が嵌め込まれる張出部とをそれぞれ前面に備える収納ユニット。
【請求項２】
請求項１において、
前記操作具は、握り部と、前記突起および前記溝を備える操作部と、前記握り部と前記操作部との間に設けられた棒状部とを備える収納ユニット。
【請求項３】
請求項１または２において、
前記操作部は、板状部材と、前記板状部材を覆うカバーとを備え、
前記板状部材の端部で前記突起が構成され、
前記カバーの切り欠き部で前記溝が構成される収納ユニット。
【請求項４】
請求項１から３のいずれかにおいて、
前記引出しは、前面に取っ手を備え、
前記受部は、前記取っ手に設けられた上下方向に貫通した穴である収納ユニット。
【請求項５】
請求項１から４のいずれかにおいて、
前記張出部は、引出しの底面部材を前方に張り出して形成した収納ユニット。
【発明の詳細な説明】
【技術分野】
【０００１】
本発明は、高い所にある引出しの抜き差しが容易にできる収納ユニットに関する。
【背景技術】
【０００２】
室内の壁面の上部に取り付ける収納棚が知られている。この収納棚に引出しを設けた場合、引出しを抜き差しするときには、踏み台等に上って行わなければならない。踏み台等を使わずに、棒などの道具を使って引出しを抜き差しできればよいが、その引出しに合った道具を見つけるのは困難である。
【発明の概要】
【発明が解決しようとする課題】
【０００３】
本発明は、このような事情に鑑みてなされたものであり、高い所にある引出しの抜き差しが容易にできる収納ユニットを提供することを目的とする。
【課題を解決するための手段】
【０００４】
本発明の収納ユニットは、引出しと、引出しを抜き差しする操作具とを有する収納ユニットであって、操作具は、突起と、溝とを備え、引出しは、突起が嵌め込まれる受部と、溝が嵌め込まれる張出部とをそれぞれ前面に備える。本発明の収納ユニットにおいて、操作具は、握り部と、突起および溝を備える操作部と、握り部と操作部との間に設けられた棒状部とを備えていてもよい。
【０００５】
本発明の収納ユニットにおいて、操作部は、板状部材と、板状部材を覆うカバーとを備え、板状部材の端部で突起が構成され、カバーの切り欠き部で溝が構成されていてもよい。本発明の収納ユニットにおいて、引出しは、前面に取っ手を備え、受部は、取っ手に設けられた上下方向に貫通した穴であってもよい。本発明の収納ユニットにおいて、張出部は、引出しの底面部材を前方に張り出して形成してもよい。
【発明の効果】
【０００６】
本発明によれば、高い所にある引出しの抜き差しが容易にできる。
【図面の簡単な説明】
【０００７】
【図１】本発明の実施形態に係る収納ユニットの斜視図である。
【図２】本発明の実施形態に係る収納ユニットの使用手順を示す断面図である。
【図３】本発明の実施形態に係る収納ユニットの使用手順を示す断面図である。
【図４】本発明の実施形態に係る収納ユニットを適用した額縁収納の斜視図である。
【発明を実施するための形態】
【０００８】
以下、本発明の収納ユニットについて、図面を参照しながら実施形態に基づいて説明する。なお、図面は、収納ユニット、収納ユニットを構成する部材、および収納ユニットの周辺部材を模式的に表したものであり、これらの実物の寸法および寸法比は、図面上の寸法および寸法比と必ずしも一致していない。また、重複説明は適宜省略し、同一部材には同一符号を付与することがある。
【０００９】
図１は、本発明の実施形態に係る収納ユニット１０を示す。収納ユニット１０は、引出し１２と、操作具１４とを備える。操作具１４は、引出し１２の抜き差し操作をするための道具である。操作具１４は、握り部１８と、操作部２０と、棒状部２２とを備える。握り部１８は、操作具１４の一方の端に設けられており、引出し１２を抜き差しする者が持つ部分である。
【００１０】
操作部２０は、操作具１４の握り部１８と反対側の端に設けられている。操作部２０は、引出し１２を抜き差しするために、引出し１２に装着される。棒状部２２は、握り部１８と操作部２０との間にあり、握り部１８と操作部２０とをつないでいる。引出し１２を設置する高さに応じて、棒状部２２の長さを設定する。棒状部２２は、円柱形状を有し、木材、樹脂、または金属等から構成される。棒状部２２は、長さが伸縮できるものであってもよい。
【００１１】
操作部２０は、基部２４と、板状部材２６と、板状部材２６を覆うカバー２８とを備える。本実施形態では、基部２４と板状部材２６とが、一体の木材で構成されている。基部２４と板状部材２６とは、別部材であってもよいし、基部２４や板状部材２６は、樹脂製や金属製等であってもよい。カバー２８は樹脂製で、引出し１２と操作部２０との接触による衝撃を緩和している。カバー２８の表面を、さらに柔らかい素材で覆ってもよい。
【００１２】
操作部２０は、突起３０および溝３２を備える。突起３０は、引出し１２の前面に設けられた受部に嵌め込まれる。溝３２は、引出し１２の前面に設けられた張出部３４に嵌め込まれる。本実施形態では、図１に示すように、板状部材２６の端部で突起３０が構成され、カバー２８の切り欠き部分で溝３２が構成される。複数の溝３２を設けたのは、操作具１４を、様々な大きさの引出し１２に対応させるためである。
【００１３】
引出し１２は、取っ手３６を前面に備える。取っ手３６には、上下方向に貫通した穴３８が設けられている。穴３８は、突起３０が嵌め込まれる受部となっている。貫通した穴３８に突起３０が嵌め込まれるため、操作具１４で引出し１２をしっかり保持でき、引出し１２を抜き差しするときに、操作具１４が引出し１２から外れにくい。張出部３４は、引出し１２の底面部材を前方に張り出して形成される。
【００１４】
つぎに、収納ユニット１０の使用方法、すなわち、引出し１２の抜き差し方法について説明する。図２および図３は、収納ユニット１０の使用手順を示す断面図である。まず、引出し１２の取っ手３６に向かって、下から操作部２０を近づけて、図２に示すように、穴３８に突起３０を差し込む。このとき、カバー２８の先端も穴３８に入る。つぎに、操作部２０の溝３２が引出し１２の張出部３４に嵌まるように、操作部２０を動かす。こうして、図３に示すように、突起３０が穴３８に嵌め込まれるとともに、溝３２が張出部３４に嵌め込まれる。この状態で引出し１２を抜き差しすれば、抜き差し中に引出し１２から操作具１４が外れることはほとんどない。
【００１５】
以上、実施形態に基づいて本発明の収納ユニットを説明したが、本発明の収納ユニットは上記実施形態に限定されない。例えば、操作具には、フック等に掛けておくためのリングを設けてもよい。このリングは、紐や金属等から構成されるのが好ましい。図４は、本発明の収納ユニットを適用した額縁収納４０を示す。額縁収納４０は、額縁４２と、収納部４４とを備える。額縁４２は、蝶番等で収納部４４に接続されており、例えば、額縁４２の左側を持って引くと、額縁４２の右側を軸として回転し、収納部４４の内部が現れる。この収納部４４に、本発明の収納ユニットの引出しが設置できる。
【符号の説明】
【００１６】
１０…収納ユニット、  １２…引出し、  １４…操作具、  １８…握り部、  ２０…操作部、  ２２…棒状部、  ２４…基部、  ２６…板状部材、  ２８…カバー、  ３０…突起、  ３２…溝、  ３４…張出部、  ３６…取っ手、  ３８…穴、  ４０…額縁収納、  ４２…額縁、  ４４…収納部
【図１】
2014161394.tif 000003
【図２】
2014161394.tif 000004
【図３】
2014161394.tif 000005
【図４】
2014161394.tif 000006